(57)【要約】【課題】若い女性に人気衣装のミニスカートは、裾丈が短かく乗り物や部屋の椅子などに座ったとき、左右の大腿部と大腿部の間に出来る隙間から、スカートの奥の下着が前方から覗き見られることを防止する遮蔽衣装の提供である。【解決手段】スカート近似のサイズで滑りの良いクロスを、スカートとは別個に腰に巻き必要な長さでストッパーにより結合装着し、クロス上下の概ね中間を起点に裾に向かってスリットを付け、スリットが両大腿部頂点で分岐する設定で前方遮蔽部と後方遮蔽部を設け、遮蔽部各々中央に遮蔽垂下を促す磁石を装備し、座った際に自動的に秘匿域を遮蔽隠匿する。【選択図】図３
2006312797.tif 000002
【特許請求の範囲】
【請求項１】
スカート近似サイズのクロスにスリットで遮蔽部を設け、遮蔽部下端に重り用と磁力吸着用の磁石を備え、膝上丈が短かめのスカートを着用して椅子などに座した際に、左右腿部間にできる間隙から覗き見られる下着を、遮蔽部の自重垂下や磁力吸着により隠蔽するベールクロス。
【請求項２】
後方遮蔽部と前方遮蔽部を設け、後方から覗き見られる尻部の隠匿を磁力利用の接合で遮蔽する請求項１記載のベールクロス。
【発明の詳細な説明】
【技術分野】
【０００１】本発明は、女性の衣服に関するものである。
【背景技術】
【０００２】女性の着衣ファッションは個人の好みにまかせ多様多岐となり、ワンピースやスカートのなかで若い人達には、膝上丈の短いワンピースやミニスカートの使用が好まれているが、それらのスカートを装着して椅子や電車等の乗り物の座席に座ったりした場合、左右の膝や大腿部を合わせて座っても両腿の間に逆三角形状の隙間ができ、正面前方から隙間を通し下着が覗かれることが多く、近年は正面のみで無く後方の尻部にまでも覗き又は盗撮することが多発し、防止対策が必要であるが現在まで具体的な防止器具又は衣装品の具現提示はされてない。【０００３】ミニスカート前部裏側中央に、秘匿域の隠蔽用に逆三角形の物入れを兼用する内部覆部材を設け、隠蔽と内ポケットとする提示がある。（特許文献１）
またミニスカート正面裏側に、三角形状の布で構成された遮蔽部に付けた重し部の底辺をスカートに縫合し、重し部の重力で垂れ下がり秘匿域を隠蔽する。（特許文献２）
これらの提示は全て直接スカートに遮蔽部を縫合し取付けるものである。【０００４】
【特許文献１】特開平１０−１４０４０５号公報
【特許文献２】特開２００４−９２００１号公報
【発明の開示】
【発明が解決しようとする課題】
【０００５】従来のものには、次のような欠点があった。
（イ）本問題の解決用の衣装品の商品は無く、各自個人が膝上に手や荷物などを置くか、又は脚を組むなど、隙間を少なくし見え難く成るよう工夫して過ごしている。
（ロ）スカートに直接遮蔽部を縫合した場合、スカート購入者の求めるサイズや色彩・価格など各自趣味趣向が異なり、販売全スカートに取付が必要で不採算である。
【課題を解決するための手段】
【０００６】本発明はこれらの課題を解決する為にサイズ・色彩・模様図柄・価格・スタイルなどの、個人の趣味嗜好が重要な決定課題となるスカートを分離し解決するもので、直接スカートに遮蔽物を縫合せず、独立した一枚のクロスを遮蔽物とするもので、薄いクロスの追加装着は負担とならず、スカートとクロスを各々好みの選択で組合わせて使用することができるものである。【０００７】スカートサイズ近似のクロスを独立した機能品とする創案で、秘匿域の遮蔽を行うものでクロスの生地が薄く柔軟でかつ滑めらかな絹やポリエステル等の繊維製のクロスを用い、スカート同様に腰に巻き隠蔽部を三角形などの少スペースとせず幅を広くし、確実に遮蔽可能となるクロスをスリットし遮蔽部を設ける。【０００８】設けられた遮蔽部が自身の重量で垂下して秘匿域を隠蔽するものであるが、クロスの装着がスカートの下である為にスカートにより上から抑圧で移動を制限されるので、制限の解放に抑圧起点の両大腿部上部頂点を分岐点とするスリットを設ける。分岐スリットにより設けられた遮蔽部は移動制限から外れ自重で垂下を行う。【０００９】スリットにより自重垂下を行うが、より確実な垂下を促す為に遮蔽部下端中央にベール装着の負担とならない重量の小型人工磁石及び金属を前後の遮蔽部に備え、前後又は上下状態の磁石の引力を利用し垂下を援助して遮蔽を完全足らしめる。
【発明の効果】
【００１０】スカートと分離された１枚のクロスを別個に用いることにより、採用使用者は自己の好みの選択でサイズ・色彩・品質・価格を選定が出来るもので、この課題は遮蔽部を求める為に、添付の無い旧来所有のスカートを死蔵又は廃棄し新たに遮蔽物添付のスカートを購入する必要は無く、又ミニスカート専用品に限定せず裾の短いドレスやワンピースにも使用ができる物で、ベールクロスの製造が簡易作業で価格が低廉であるので、経済的にも心理的にも採用決定が安易で普及は容易であると思考される。【００１１】通常、スカートの裏地は単色ダーク系が多く裏のイメージが払拭され無いが、近来は衣装が色彩化しているものが多く、スカートの裏も暗いイメージを払拭しカラフルとなる時代も早いと推測されので、本発明においては先取的にファッション化を用いるもので、旧来の単色無地からカラフルな色彩と模様のある各種クロスを準備し、各人のファッションに応じられるものとする。
【発明を実施するための最良の形態】
【００１２】次に、本発明の実施の形態について、図面を参照しながら説明する。
【実施例１】
【００１３】図１は、本発明のフアッション  ベールの立体斜視図であるる
薄く柔軟かつ滑らかなクロス即ち絹やポリエステル等の繊維製品のベール１を、腰に巻き必要な長さで両端を結び、適当な位置にストッパー３を備え脱落防止及び機能保持を図る。る。ベール１の上下の中間を起点として下裾に向いスリット２を作る。スリット２を設けることによりスリット２間に遮蔽部となる前方遮蔽部４ａと後方遮蔽部４ｂが構成され、各々の下端中央に重さが装着に負担とならない重量の、垂下促進を図る重り用と磁力利用用の前方磁石５と後方磁石６を装備する。【００１４】スリット２の上下の長さは、ベール１上下幅の概ね半分又は装着者の腿高に匹敵するサイズにスリット２し、垂下して目的の秘匿域を完全遮蔽するサイズで、スリット２の間隔はベール１が腿部上辺で抑圧が回避できる一方の腿部上辺中央の抑圧位置から、他方の腿部上辺中央の抑圧位置の間隔幅で前方遮蔽部４ａが設けられる。また尻部隠蔽の後方遮蔽部４ｂも前方部と同様に両尻部間に渉るサイズでスリット２を設け、両遮蔽部４ａ・４ｂ中央の磁石５・６の磁力の引着で接合し遮蔽を機能する。【００１５】図２は、スリット及び重り磁石の配置簡略俯瞰図である。
腰を表す中心の円をクロスがぐるりと取り巻きベールを構成する。ベール１装脱は両端の一方にストッパー３を設けて行い、ベール１をスリット２して設けられた遮蔽部の中央に重りと磁力引着用磁石５・６を縫合又は接着して設け、前方遮蔽部４ａと後方遮蔽部４ｂを装備する。【００１６】図３は、本発明の使用正面実施例図である。
本図は説明を容易にするためスカート掲示を簡略し、ベール１のみの表示により説明する。主題であるミニスカートはスカート丈のミニばかりで無く、裾周りもミニである為に両腿部とスカートが密着する装着が特色である。密着装着は両腿に食込む状態に近くスカートの下に本発明のベール１を着用すれば、密着により生ずる重圧及び抑圧はベール１を固定し計画する垂下遮蔽は発生し難いので、抑圧点の腿部頂点をスリット２により分断し、分岐された遮蔽部４ａは抑圧から離脱し自重及び磁力の援助で垂下し遮蔽を行うものである。
【図面の簡単な説明】
【００１７】
【図１】ファッション  ベールの立体斜視図。
【図２】スリット及び重り磁石の配置簡略俯瞰図。
【図３】本発明のベールの使用正面実施例図。
【符号の説明】
【００１８】１．  ベールクロス          ４ａ．前方遮蔽部
２．  スリット              ４ｂ．後方遮蔽部
３．  ストッパー            ６．  後方重り磁石
５．  前方重り磁石
【図１】
2006312797.tif 000003
【図２】
2006312797.tif 000004
【図３】
2006312797.tif 000005